(57)【要約】【課題】ファンを回転駆動する際のモータの振動を低減することができる燃焼装置を提供する。【解決手段】バーナを収容して燃焼室を形成する燃焼ケース４の底部に、ファンケース１０を連結する。ファンケース１０は、バーナに燃焼用空気を強制的に供給するファンと、ファンを回転駆動するモータとを備える。ファンは、ファンケース１０のファン収容部１０ａに収容し、モータはファン収容部１０ａの外側に支持する。ファン収容部１０ａの一側から上方に延びる送風路１０ｂを設ける。燃焼ケース４の底部に連結部材であるネジ３１を介して連結する連結部２９を、モータ重心の直上位置に一体に設ける。【選択図】図３
2006300418.tif 000002
【特許請求の範囲】
【請求項１】
バーナを収容して燃焼室を形成する燃焼ケースの底部に連結され、バーナに燃焼用空気を強制的に供給するファンと、該ファンを収容するファンケースと、該ファンを回転駆動するモータとを備え、前記ファンケースは、ファンを内部に収容すると共にモータを外側に支持するファン収容部と、該ファン収容部の一側から上方に延びる送風路と、該送風路の上端に形成されて前記燃焼ケースの底部に接続される吐出口とを備える燃焼装置において、
前記燃焼ケースの底部に連結部材を介して連結する連結部を、前記ファンケースにおける前記ファン収容部のモータ重心の直上位置に一体に設けたことを特徴とする燃焼装置。
【請求項２】
前記ファン収容部は、ファンの外周に沿って送風路を形成するスクロール板と、該スクロール板の一側に設けられてモータを支持する第１側板と、前記スクロール板の一側に設けられて第１側板に対向し、ファンの中央部に対向する吸入口が形成された第２側板とを備え、
前記連結部は、前記第１側板と前記第２側板との何れか一方のモータ重心の直上位置に上方に向かって一体に延設されていることを特徴とする請求項１記載の燃焼装置。
【発明の詳細な説明】
【技術分野】
【０００１】
本発明は、燃焼用空気を強制的にバーナに送るファンを備えた燃焼装置に関する。
【背景技術】
【０００２】
従来、バーナを収容して燃焼室を形成する燃焼ケースに、燃焼用空気を強制的にバーナに送るファンを設けた燃焼装置が知られている（例えば、特許文献１参照）。この種の燃焼装置においては、ファンを収容するファンケースが燃焼ケースの底部に連結される。ファンケースは、ファンを内部に収容すると共にモータを外側に支持するファン収容部と、該ファン収容部の一側から上方に延びる送風路と、該送風路の上端に形成されて前記燃焼ケースの底部に接続される吐出口とを備え、該吐出口が燃焼ケースの底部に形成された空気取入口に接続されている。
【０００３】
しかし、ファン収容部の一側から上方に延びる送風路の上端の吐出口の周縁部において燃焼ケースの底部に連結した場合には、ファン収容部に設けられているモータによって吐出口の周縁部に偏荷重がかかり、ファンを回転駆動した際に生じるモータの振動を抑えることができないばかりでなく、その振動によって燃焼ケースとファンケースとを連結するネジ等の連結部材に緩みが生じたり、モータからの振動が燃焼ケースに伝達されて異常騒音が発生するおそれがある。
【０００４】
そこで、ファンケースを燃焼ケースに一層強固に連結することが考えられるが、そのために、例えば、ネジ等の連結部材を多数設ける必要があり、部品点数が増加するだけでなく、その連結作業が極めて煩わしい不都合がある。
【特許文献１】特開２００２−７１１０９号公報（図１）
【発明の開示】
【発明が解決しようとする課題】
【０００５】
かかる不都合を解消して、本発明は、ファンを回転駆動する際のモータの振動を低減することができる燃焼装置を提供することを目的とする。
【課題を解決するための手段】
【０００６】
かかる目的を達成するために、本発明は、バーナを収容して燃焼室を形成する燃焼ケースの底部に連結され、バーナに燃焼用空気を強制的に供給するファンと、該ファンを収容するファンケースと、該ファンを回転駆動するモータとを備え、前記ファンケースは、ファンを内部に収容すると共にモータを外側に支持するファン収容部と、該ファン収容部の一側から上方に延びる送風路と、該送風路の上端に形成されて前記燃焼ケースの底部に接続される吐出口とを備える燃焼装置において、前記燃焼ケースの底部に連結部材を介して連結する連結部を、前記ファンケースにおける前記ファン収容部のモータ重心の直上位置に一体に設けたことを特徴とする。
【０００７】
本発明によれば、前記ファン収容部に前記連結部を一体に設け、ネジ等の前記連結部材を介して該連結部を前記燃焼ケースの底部に連結するので、連結部を介してモータの荷重をモータの重心の直上で受けることができる。これによって、燃焼ケースへのファンケースの連結状態が安定し、ファンを回転駆動した際に生じるモータの振動を低減することができる。しかも、モータの振動が低減することによって、ネジ等の連結部材を必要以上に設けることなく燃焼ケースとファンケースとの強固な連結状態を維持することができ、構造簡単で確実な連結状態を形成することができる。
【０００８】
また、本発明の実施形態としては、前記ファン収容部は、ファンの外周に沿って送風路を形成するスクロール板と、該スクロール板の一側に設けられてモータを支持する第１側板と、前記スクロール板の一側に設けられて第１側板に対向し、ファンの中央部に対向する吸入口が形成された第２側板とを備え、前記連結部は、前記第１側板と前記第２側板との何れか一方のモータ重心の直上位置に上方に向かって一体に延設されていることを特徴とする。
【０００９】
前記連結部を前記第１側板と前記第２側板との何れか一方に設けることにより、例えば、燃焼ケースとファンケースとを連結するとき、一方側からのみネジ等の連結部材による連結作業を行えばよく、連結作業を容易としてモータの振動を低減することができる。
【発明を実施するための最良の形態】
【００１０】
本発明の一実施形態を図面に基づいて説明する。図１は本実施形態の燃焼装置の概略構成を示す説明図、図２はファンケースの第１側板側を示す説明図、図３はファンケースの第２側板側を示す説明図である。
【００１１】
本実施形態の燃焼装置１は、例えば図示しない給湯器の一部を構成するものであり、図１に示すように燃焼部２と送風部３とを備えている。燃焼部２は、上部に図示しない熱交換部や排気部が連結され、燃焼ケース４と、該燃焼ケース４内に収容されたガスバーナ５と、燃焼ケース４の側壁に取り付けられ、ガスバーナ５にガス燃料を供給するノズル構成体６とを備えている。また、燃焼ケース４内の下部には空気整流板７が設けられ、燃焼ケース４の底壁には空気取入口８が形成されている。なお、燃焼ケース４には更に、ガスバーナ５の上部空間が燃焼室９とされ、図示を省略したが、点火手段や炎検知手段等が取り付けられている。
【００１２】
前記送風部３は、ファンケース１０と、該ファンケース１０内に収容されたシロッコファン１１と、シロッコファン１１を回転させるモータ１２とを備えている。ファンケース１０は、図１乃至図３に示すように、シロッコファン１１を収容するファン収容部１０ａと、該ファン収容部１０ａを一周してその一側から上方に延びる送風路１０ｂとを備えている。送風路１０ｂはファン収容部１０ａから円弧形状に延びており、第１側板１３と該第１側板１３に対向する第２側板１４との間でシロッコファン１１の外周に沿って設けられたスクロール板１５によって形成されている。
【００１３】
第１側板１３は、図１及び図２に示すように、外側にモータ１２を支持し、該モータ１２の回転軸１６を開口部１７を介して内側に突出させている。該モータ１２は、その周壁に設けられた鍔部１８を介してネジ１９により第１側板１３に連結固定されている。
【００１４】
シロッコファン１１は、図１に示すように、モータ１２の回転軸１６に連結された回転板２０と、該回転板２０の外周縁部に所定間隔を存して放射状に配設された複数の羽根２１とを備えている。また、ファンケース１０の第２側板１４には、図１及び図３に示すように、シロッコファン１１に対応する開口部２２が形成されており、該開口部２２にはベルマウス状吸入口２３を構成する筒状体２４が取り付けられている。該筒状体２４は、その外周に張り出すフランジ２５を介してネジ２６により第２側板１４に連結固定されている。
【００１５】
スクロール板１５は、図２及び図３に示すように、帯状の金属板を湾曲させることにより形成され、その両側縁に突出する複数の連結爪２７を介して第１側板１３と第２側板１４とにカシメ止めされて一体に形成されている。スクロール板１５の終端は第１側板１３と第２側板１４との間には吐出口２８が形成されている。
【００１６】
また、スクロール板１５に対応する第１側板１３の外周縁と第２側板１４の外周縁は、スクロール板１５の外側面に沿って折り曲げられており、これによって第１側板１３の外周縁と第２側板１４の外周縁に鋭利な端縁が露出することがなく、電気配線等のハーネス切れが防止されている。
【００１７】
そして、図２及び図３に示すように、ファンケース１０のモータ１２の重心の直上位置には、第２側板１４に一体に形成された第１連結部２９（本発明における連結部）が形成されている。該第１連結部２９はモータ１２の重心の延長線ｙ上にはネジ穴３０（図２参照）が設けられ、図３に示すように、ネジ３１（連結部材）によって、燃焼ケース４の底壁に連結される。また、第２側板１４には、吐出口２８を介して第１連結部２９の反対側に第２連結部３２が形成され、ネジ穴３３（図２参照）を介してネジ３４により燃焼ケース４の底壁に連結される。
【００１８】
上述の構成において、図１を参照して、燃焼装置１の運転が開始されると、モータ１２の駆動によりシロッコファン１１が回転し、ベルマウス状吸入口２３からファンケース１０内に吸入された燃焼用空気が送風路１０ｂに案内されて吐出口２８から燃焼ケース４内に供給される。この燃焼ケース４内に供給された燃焼用空気の一部は、ノズル構成体６からガスバーナ５に供給されたガス燃料とガスバーナ５内で混合されてガスバーナ５による燃焼が行われる。
【００１９】
このとき、ファンケース１０は、図３に示すように、モータ１２の重心の直上位置において前記第１連結部２９により燃焼ケース４に連結されているので、シロッコファン１１を回転駆動するモータ１２から生じる振動が抑制され、異状騒音等の発生が防止される。しかも、モータ１２から生じる振動が抑制されることから、第１連結部２９や第２連結部３２におけるネジ３１，３４の緩み等も防止でき、燃焼ケース４とファンケース１０との強固な連結状態が確実に維持される。
【００２０】
更に、図３に示すように、ファンケース１０の一方側に位置する第２側板１４に、前記第１連結部２９及び前記第２連結部３２を設けてネジ３１，３４により連結したので、燃焼ケース４とファンケース１０との連結作業（ネジ止め作業）も一方側から行えばよく、組立効率を向上させることができる。
【００２１】
なお、本実施形態においては、前記第１連結部２９及び前記第２連結部３２を第２側板１４に設けて燃焼ケース４に連結した例を示したが、これ以外に、図２を参照して、前記第１側板１３の前記第１連結部２９に相当する部分３５及び前記第２連結部３２に相当する部分３６において燃焼ケース４にネジ止め連結してもよい。
【図面の簡単な説明】
【００２２】
【図１】本発明の一実施形態の燃焼装置の概略構成を示す説明図。
【図２】ファンケースの第１側板側を示す説明図。
【図３】ファンケースの第２側板側を示す説明図。
【符号の説明】
【００２３】
１…燃焼装置、２…燃焼ケース、５…バーナ、１０…ファンケース、１０ａ…ファン収容部、１０ｂ…送風路、１１…シロッコファン（ファン）、１２…モータ、１３…第１側板、１４…第２側板、１５…スクロール板、２３…ベルマウス状吸入口（吸入口）、２８…吐出口、２９…第１連結部（連結部）、３１…ネジ（連結部材）。
【図１】
2006300418.tif 000003
【図２】
2006300418.tif 000004
【図３】
2006300418.tif 000005